(57)【特許請求の範囲】
【請求項１】
回転機能用の第１回路基板上に回転体を設置し、この回転体の回転によって回転体と第１回路基板の間に設置した電気的機能部の電気的出力を変化する回転式電子部品部と、
前記回転体及び第１回路基板を貫通して上下動自在に押釦つまみを設置し、この押釦つまみの上下動によって押釦つまみの下方に設置した中央スイッチをオンオフする押圧式電子部品部とを具備し、
前記押釦つまみ内に発光機能用の第２回路基板に取り付けた発光素子を設置し、発光素子から照射される光を前記押釦つまみを通して外部に照射する照光機能付き複合電子部品において、
前記第１回路基板の中央に前記第２回路基板を両回路基板が略同一面上に位置するように配置すると共に、
前記押釦つまみは、つまみ本体部とスイッチ押圧部とを有し、前記第２回路基板の周囲に設けた挿通部を通して連結されることにより、このスイッチ押圧部によって中央スイッチをオンオフする際にその動作に影響されず第２回路基板が静止していることを特徴とする照光機能付き複合電子部品。
【請求項２】
前記第１回路基板は取付台上に設置され、さらに前記取付台を揺動自在に支持する支持部材と、前記取付台の揺動によって押圧される押圧スイッチとを具備していることを特徴とする請求項１に記載の照光機能付き複合電子部品。
【発明の詳細な説明】
【技術分野】
【０００１】
本発明は、回転式電子部品と押圧式電子部品の機能と共に、押圧式電子部品の押釦つまみを照光する機能をも併せ持つ照光機能付き複合電子部品に関するものである。
【背景技術】
【０００２】
車載用ナビゲーションシステム、コンピュータ、各種携帯機器、各種ＯＡ機器、ゲーム機等を操作するデバイスとして回転式電子部品や押圧式電子部品等がある。そしてこの種の電子部品の中には、回転式電子部品の回転つまみの中央に押圧式電子部品の押釦つまみを設置することで、回転式電子部品と押圧式電子部品の機能を併せ持つ多機能型の複合電子部品がある（例えば特許文献１）。またさらに中央の押釦つまみを照光する機能や、揺動式電子部品の機能を併せ持たせた多機能型の複合電子部品もある（例えば特許文献２参照）。
【０００３】
しかしながら上記従来の多機能型の複合電子部品においては以下のような問題があった。
（１）上述のように回転式電子部品と押圧式電子部品の機能を併せ持つ複合電子部品に、押圧式電子部品の押釦つまみを照光する機能を付加する場合、特許文献２に示すように押釦つまみ（９０）の内部に発光素子（２３０）及びこれを搭載する回路基板（２０１）を設置することとなるが、その際発光素子（２３０）を搭載する回路基板（２０１）は、回転式電子部品や押圧式電子部品に用いるフレキシブル回路基板（１９０）の外周から外方に引き出した連結部（２０３）の先端に設けられ、連結部（２０３）の部分を折り返すことで発光素子（２３０）を搭載する回路基板（２０１）を前記押釦つまみ（９０）内に設置していた。このため電子部品の構造が複雑になり、また組み立てが煩雑になり、さらに電子部品の小型化・薄型化が阻害される恐れがあった。
【０００４】
（２）特許文献２のように、回転式電子部品と押圧式電子部品の機能の他に、さらに揺動式電子部品の機能を併せ持たせる複合電子部品の場合、これらに用いる各スイッチ（１９３Ａ，１９３Ｂ）や摺接パターン（１９４）をフレキシブル回路基板（１９０）の同一面上に設けることとなるので、フレキシブル回路基板（１９０）の外径が大型化してしまい、小型化が図れない。このため回転式電子部品と押圧式電子部品と揺動式電子部品の機能を併せ持ち、さらに中央の押圧式電子部品の押釦つまみを照光する機能を併せ持った複合電子部品として、構造が簡単で組み立てが容易で小型化が図れる複合電子部品が要望されていた。
【特許文献１】特開２００１−１８４９６７号公報
【特許文献２】特開２００５−３４７２３４号公報
【発明の開示】
【発明が解決しようとする課題】
【０００５】
本発明は上述の点に鑑みてなされたものでありその目的は、回転式電子部品と押圧式電子部品の機能（場合によってはさらに揺動式電子部品の機能）と、押圧式電子部品の押釦つまみを照光する機能とを有し、構造・組み立てが簡単で、小型化・薄型化が図れる照光機能付き複合電子部品を提供することにある。
【課題を解決するための手段】
【０００６】
本願請求項１に記載の発明は、回転機能用の第１回路基板上に回転体を設置し、この回転体の回転によって回転体と第１回路基板の間に設置した電気的機能部の電気的出力を変化する回転式電子部品部と、前記回転体及び第１回路基板を貫通して上下動自在に押釦つまみを設置し、この押釦つまみの上下動によって押釦つまみの下方に設置した中央スイッチをオンオフする押圧式電子部品部とを具備し、前記押釦つまみ内に発光機能用の第２回路基板に取り付けた発光素子を設置し、発光素子から照射される光を前記押釦つまみを通して外部に照射する照光機能付き複合電子部品において、前記第１回路基板の中央に前記第２回路基板を両回路基板が略同一面上に位置するように配置すると共に、前記押釦つまみは、つまみ本体部とスイッチ押圧部とを有し、前記第２回路基板の周囲に設けた挿通部を通して連結されることにより、このスイッチ押圧部によって中央スイッチをオンオフする際にその動作に影響されず第２回路基板が静止していることを特徴とする照光機能付き複合電子部品にある。
【０００７】
本願請求項２に記載の発明は、前記第１回路基板は取付台上に設置され、さらに前記取付台を揺動自在に支持する支持部材と、前記取付台の揺動によって押圧される押圧スイッチとを具備していることを特徴とする請求項１に記載の照光機能付き複合電子部品にある。
【発明の効果】
【０００８】
請求項１に記載の発明によれば、回転式電子部品部の電気的出力を取り出す第１回路基板の中央に、発光素子を取り付けて押釦つまみ内に設置される第２回路基板を、両回路基板が略同一面に位置するように配置したので、回転式電子部品部及び押圧式電子品部の第１回路基板面からの高さ寸法の薄型化が図れる。
【０００９】
また押釦つまみが上下動しても、第２回路基板及び発光素子は静止状態のままなので、容易に第１回路基板と第２回路基板とを同一の回路基板の周囲部分と中央部分とにそれぞれ設けることができる。そして第１，第２回路基板を同一の回路基板の周囲部分と中央部分にそれぞれ配置することができれば、従来のように第２回路基板を第１回路基板の外周から引き出して第１回路基板上に折り曲げて設置する必要がなくなる。このため電子部品の構造を簡素化でき、組み立ても容易になる。また回転体が３６０°エンドレスで回転する構造であっても、従来のように第２回路基板を第１回路基板の外周から引き出して第１回路基板上に折り曲げて設置する構造にする必要がなくなり、引き出して折り曲げた部分が３６０°回転する回転体の何れかの部分に当接する恐れはなく、容易にエンドレスタイプの回転式電子部品部とすることができる。
【００１０】
請求項２に記載の発明によれば、回転式電子部品の機能と押圧式電子部品の機能と押圧式電子部品の押釦つまみを照光する機能の他に、さらに揺動式電子部品の機能を一体化した多機能型の複合電子部品を構成することができる。その際第１回路基板の下側に揺動式電子部品用の押圧スイッチが設置されるので、複合電子部品の外径の小型化・コンパクト化が図れる。
【発明を実施するための最良の形態】
【００１１】
以下、本発明の実施形態を図面を参照して詳細に説明する。図１は本発明の１実施形態にかかる照光機能付き複合電子部品（以下単に「電子部品」という）１の概略側断面図、図２は電子部品１の斜視図、図３乃至図５は電子部品１を上側から見た分解斜視図であり、図３は上側の部品、図４は中間の部品、図５は下側の部品を示す図、図６乃至図８は電子部品１を下側から見た分解斜視図であり、図６は上側の部品、図７は中間の部品、図８は下側の部品を示す図である。なお以下の説明において、「上」とは第１回路基板１５０から回転体９０側を向く方向をいい、「下」とはその反対側を向く方向をいうものとする。
【００１２】
これらの図に示すように電子部品１は、回転つまみ１０と、押釦つまみ３０（つまみ本体部３１及び導光部材３３及びスイッチ押圧部３５からなる）と、ケース５０と、クリック板７０と、回転体９０と、摺動子１１０と、発光素子１３０と、回転機能用の第１回路基板（以下「第１フレキシブル回路基板」という）１５０と、発光機能用の第２回路基板（以下「第２フレキシブル回路基板」という）１７０と、取付台１９０と、支持部材２１０と、第３回路基板（以下「第３フレキシブル回路基板」という）２３０と、保持部材（以下「保持板」という）２５０とを具備して構成されている。以下各構成部品について説明する。
【００１３】
回転つまみ１０は合成樹脂（この実施形態ではＡＢＳ樹脂）の成形品であり、略円板状の本体部１１の中央に円形の開口部１３を設けて構成されている。もちろん他の各種合成樹脂（例えばポリカーボネート（ＰＣ）樹脂やポリブチレンテレフタレート（ＰＢＴ）樹脂やＰＯＭ樹脂等）を用いて構成しても良い。回転つまみ１０の開口部１３は、内部に下記する押釦つまみ３０のつまみ本体部３１を設置できるようにつまみ本体部３１（その本体部３１１）の外径寸法よりも若干大きな内径寸法であり、且つつまみ本体部３１に設けた下記するつば部３１９が上方に抜けないようにつば部３１９の外形寸法よりも若干小さい内径寸法に形成されている。一方回転つまみ１０の外周には下方に突出する筒状の外周側壁部１５が形成され、また回転つまみ１０の下面の開口部１３の周囲には外周側壁部１５よりも小さな突出寸法で下方に突出する筒状の軸部１７が形成されている。軸部１７の下端面の複数位置（本実施形態では１８０°対向する２ヶ所の位置）には、この回転つまみ３０にクリック板７０を固定する小突起からなる板取付部１９が設けられ、また軸部１７の下端面の板取付部１９の間の複数位置（本実施形態では１８０°対向する２ヶ所の位置）には、この回転つまみ１０に回転体９０を係止する回転体取付部２１が設けられている。
【００１４】
つまみ本体部３１は合成樹脂の成形品であり、この実施形態では不透光性の合成樹脂として熱可塑性のＡＢＳ樹脂を用いている。もちろん他の各種合成樹脂（例えばＰＣ樹脂やＰＢＴ樹脂やＰＯＭ樹脂等）を用いて構成しても良いし、透明であっても良い。つまみ本体部３１は略円板状の本体部３１１と、本体部３１１の中央に上下に貫通するように設けられる導光部材挿通部３１３と、つまみ本体部３１下面の導光部材挿通部３１３の周囲の複数位置（本実施形態では１８０°対向する２ヶ所の位置）に設けられ下方に向けて突出する棒状の導光部材取付部３１５と、つまみ本体部３１下面の導光部材挿通部３１３の周囲の導光部材取付部３１５の間の複数位置（本実施形態では１８０°対向する２ヶ所の位置）に設けられ下方に向けて突出する棒状の押圧部取付部３１７と、本体部３１１の外周側面の下部に薄板リング状に突出するつば部３１９とを設けて構成されている。押圧部取付部３１７の根元側の部分は基部３１７ａとなっており、先端側の部分は細い柱状の取付部３１７ｂとなっている。
【００１５】
導光部材３３は透明な合成樹脂の成形品であり、この実施形態ではＰＣ樹脂を用いている。もちろん透明な合成樹脂であれば、他の各種合成樹脂（例えばアクリル、ＰＭＭＡ樹脂、ポリプロピレン、ポリウレタン、ポリアミド、ポリエチレンテレフタレート（ＰＥＴ）、ＰＢＴ、ポリスチレン、ポリアクリロニトリルブタジエンスチレン等）を用いても良い。導光部材３３は略円柱形状の導光部３３１の下部に略楕円状に張り出す取付基部３３３を設け、取付基部３３３の左右両側部分に上下に貫通して前記導光部材取付部３１５を挿通する内径寸法の取付部３３５を設けて構成されている。
【００１６】
スイッチ押圧部３５は合成樹脂を略円板状に成形して構成されており、この実施形態ではＡＢＳ樹脂を用いているが、他の各種合成樹脂（例えばＰＣ樹脂やＰＢＴ樹脂やＰＯＭ樹脂等）を用いて構成しても良い。スイッチ押圧部３５はその上面中央に矩形状の凹部からなる挟持部材収納部３５１を設け、またその下面中央に柱状に突出する押圧部３５３を設け、またバネ収納部３５１の周囲の複数位置（この実施形態では１８０°対向する２ヶ所の位置）に上下に貫通して前記押圧部取付部３１７の取付部３１７ｂを挿入する寸法形状の本体部取付部３５５を設けて構成されている。スイッチ押圧部３５下面の本体部取付部３５５の周囲は凹部３５７となっている。
【００１７】
ケース５０は合成樹脂の成形品であり、この実施形態では熱可塑性のＰＣ樹脂を用いている。もちろん他の各種材質の合成樹脂（例えばＡＢＳ樹脂やＰＢＴ樹脂やＰＯＭ樹脂等）を用いて構成しても良い。ケース５０は円形平板状の上面部５１を備え、上面部５１の中央に回転つまみ１０の軸部１７をその内部に挿入して回動自在に軸支する円形の開口部５３を有している。上面部５１の外周には下方に向かって突出する筒状の側壁部５５が設けられ、側壁部５５の下端面の複数位置（この実施形態では等間隔〔９０°間隔〕の４ヶ所の位置）には、下記する取付台１９０に取り付けられる小突起状の取付台取付部５７が設けられている。また上面部５１の下面には、下記するクリック板７０のクリック弾接部８３を弾接係合させる凹凸を所定間隔でリング状に配置してなるクリック係合部５９が形成されている。ケース５０の外径は、回転つまみ１０の下面の外周側壁部１５の内側に収納される寸法に形成されている。
【００１８】
クリック板７０は弾性金属板（例えばステンレス板）を円形に形成したクリック本体部７１と、クリック本体部７１の外周を囲む位置に設置された一対の半円弧状のアーム部７３，７３とを一体に形成して構成されている。クリック本体部７１はその外径が回転つまみ１０の軸部１７の外径と略同じ寸法に形成され、その中央には前記つまみ本体部３１の導光部材取付部３１５と押圧部取付部３１７とを挿通させる円形の開口部７５が設けられ、クリック本体部７１の外周の１８０°を隔てて対向する２ヶ所の位置には回転つまみ１０の回転体取付部２１を挿通させる半円弧状の切り欠きからなる挿通部７７が形成され、クリック本体部７１の１８０°を隔てて対向する２ヶ所の位置には回転つまみ１０の板取付部１９を挿入する扇形状の貫通孔からなる取付固定部７９が形成されている。クリック本体部７１の取付固定部７９，７９の両外側には、半径方向外方に突出して両アーム部７３，７３の根元部分に連結する一対の連結部８１，８１が設けられている。両アーム部７３，７３はそれぞれクリック本体部７１の外周に沿うように設置され、両アーム部７３，７３の中間位置にはクリック板７０の上面側に向かって円弧状に湾曲する突起状のクリック弾接部８３，８３が設けられている。
【００１９】
回転体９０は合成樹脂の成形品であり、この実施形態ではＰＯＭ樹脂を用いているが、もちろん他の各種材質の合成樹脂材を用いて構成しても良い。回転体９０は円形の平板状に形成され、その中央に前記つまみ本体部３１の導光部材取付部３１５と押圧部取付部３１７とを挿通させる円形の開口部９１を設けている。一方回転つまみ１０の回転体取付部２１に対向する２ヶ所の位置には貫通孔からなる挿入部９３が設けられ、また回転つまみ１０の板取付部１９に対向する２ヶ所の位置には、クリック板７０の下面から突出する板取付部１９の先端部を収納配置する凹状の収納部９５が設けられている。一方回転体９０の下面は摺動子１１０を設置する摺動子設置部１０１となっており、摺動子設置部１０１の面の同心円上の等間隔（１２０°間隔）の３ヶ所の位置には、小突起状の摺動子固定部１０３が設けられている。
【００２０】
摺動子１１０は弾性金属板製であり、この実施形態ではリン青銅板を用いているが、他の各種材質のものを用いても良い。摺動子１１０は、回転体９０よりも若干小さな外径寸法を有する略円形の平板状でリング状に形成され、中央に開口部１１１を設けると共に、等間隔（１２０°間隔）の３ヶ所の位置に、前記回転体９０の摺動子固定部１０３を挿入する貫通孔からなる取付固定部１１３を設け、また各取付固定部１１３の側部から３本ずつの摺接ブラシ１１５を摺動子１１０の円形の外形に沿うように設置して構成されている。各組の摺接ブラシ１１５の先端近傍部分は接点部１１７となっている。
【００２１】
発光素子１３０はこの実施形態では略凸形状の発光ダイオード（ＬＥＤ）であり、その中央の突出している上面に光を放射する発光部１３１を設け、またその下部両側面から左右方向に向けて突出した部分の表面に電極部１３３，１３３を露出して設けて構成されている。
【００２２】
第１フレキシブル回路基板１５０と第２フレキシブル回路基板１７０は、同一の（一枚の）フレキシブル回路基板の周囲部分と中央部分にそれぞれ設けられており、第２フレキシブル回路基板１７０の周囲の部分（第１フレキシブル回路基板１５０と第２フレキシブル回路基板１７０の境界部分）には、上下に貫通する挿通部１８１が設けられている。挿通部１８１は略矩形状の第２フレキシブル回路基板１７０の周囲を、第２フレキシブル回路基板１７０と第１フレキシブル回路基板１５０とを連結する一対の連結部１８３を除いて囲む形状に設けられている。また第１フレキシブル回路基板１５０は、その外周に接続した帯状の連結部１７３によって第３フレキシブル回路基板２３０の外周と連結されている。即ち第１，第２，第３フレキシブル回路基板１５０，１７０，２３０は一枚の回路基板（以下「フレキシブル回路基板」という）１４０で構成されている。従ってフレキシブル回路基板１４０全体について説明すると、フレキシブル回路基板１４０は可撓性を有する合成樹脂フイルム上に所望の回路パターンを設けて構成されており、この実施形態では合成樹脂フイルムとして熱可塑性のＰＥＴフイルムを用いている。もちろん他の各種熱可塑性、熱硬化性、光硬化性の合成樹脂フイルム、例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ＰＣフイルム、ポリブチレンナフタレート（ＰＢＮ）フイルム、ＰＢＴフイルム等を用いて構成しても良い。
【００２３】
そして第１フレキシブル回路基板１５０の部分は略円形の外形を有し、その上面に同心円状（リング状）に所望の摺接パターン１５１を設けて構成されている。摺接パターン１５１は銀ペースト等の導電ペーストを印刷する等して形成されており、図では詳細な記載を省略しているが、この実施形態では等間隔にリング状に複数のスイッチパターンを形成して構成されている。また第１フレキシブル回路基板１５０の前記ケース５０の各取付台取付部５７に対向する４ヶ所の位置には、貫通孔からなる挿通部１５３が設けられている。
【００２４】
第２フレキシブル回路基板１７０の部分は略矩形状の外形を有し、その上面に左右一対の電極接続パターン１７１，１７１を設けて構成されている。電極接続パターン１７１，１７１も銀ペースト等の導電ペーストを印刷する等して形成されている。また前述のように第２フレキシブル回路基板１７０の長手方向に沿う左右一対の側辺の中央部分は連結部１８３によって第１フレキシブル回路基板１５０に連結されている。
【００２５】
第３フレキシブル回路基板２３０は略八角形の外形を有し、その上面（前記摺接パターン１５１や電極接続パターン１７１を設けた反対側の面）の中央に中央スイッチ２３１を設置し、中央スイッチ２３１の周囲の複数の位置（この実施形態では同一円周上の等間隔〔９０°間隔〕の４ヶ所の位置）に押圧スイッチ２３３を設置して構成されている。中央スイッチ２３１と押圧スイッチ２３３は何れも同一構造であり、第３フレキシブル回路基板２３０上の図示しない一対のスイッチ接点上に弾性金属板をドーム形状に形成してなる反転板（可動接点板）２３１ａ，２３３ａを設置し、反転板２３１ａ，２３３ａを押圧してこれを反転することでスイッチがオンする構造に構成されている。また第３フレキシブル回路基板２３０の周囲８ヵ所の位置には、貫通孔又は切り欠きからなる挿通部２３５が形成されている。また中央スイッチ２３１、押圧スイッチ２３３の出力は図示しない回路パターンによって第３フレキシブル回路基板２３０の外周に連結した帯状の引出部２３７に引き出されている。引出部２３７には前記第１フレキシブル回路基板１５０の摺接パターン１５１や第２フレキシブル回路基板１７０の電極接続パターン１７１に接続された回路パターンも引き出されている。
【００２６】
ところで第１，第２フレキシブル回路基板１５０，１７０の摺接パターン１５１と電極接続パターン１７１を設けた上面と、第３フレキシブル回路基板２３０の中央スイッチ２３１や押圧スイッチ２３３を設けた上面とは、フレキシブル回路基板１４０の表裏の異なる面となっている。即ち接続部１７３の部分で折り返すことで、前記各面が上面となる。
【００２７】
取付台１９０は合成樹脂の成形品であり、この実施形態ではＡＢＳ樹脂を用いているが、他の各種合成樹脂材を用いて構成しても良い。取付台１９０は回転つまみ１０よりも若干大きい外径寸法を有し、中央には押釦つまみ３０のスイッチ押圧部３５を挿通して上下動自在に軸支する略円形の開口部１９１が設けられている。一方前記ケース５０の各取付台取付部５７に対向する複数の位置（本実施形態では４ヶ所の位置）には、貫通孔からなる取付部１９３が設けられ、また外周の所定位置（本実施形態では各取付部１９３の外側の４ヶ所の位置）には、半径方向外方に向かって舌片状に突出する係合片１９５が設けられている。各係合片１９５の両側辺には幅方向に突出する小突起状の係止部１９７が設けられている。取付台１９０の下面の各取付部１９３の間の所定位置（各取付部１９３間の中間位置）には、下方向に向かって突出する柱状の押圧部１９９が設けられている。
【００２８】
支持部材２１０は合成樹脂の成形品であり、この実施形態ではＡＢＳ樹脂を用いているが、他の各種合成樹脂材料を用いて構成しても良い。支持部材２１０は、略リング状（Ｃ字状）に形成されており、中央の開口２１１の内径寸法は、回転つまみ１０や取付台１９０（係合片１９５を除く）の外径寸法よりも少し大きく形成されている。支持部材２１０の等間隔の４ヶ所（即ち９０°間隔）の位置には、上方向に凸となる取付台保持部２１３が設けられ、各取付台保持部２１３の下面には凹状の係合部２１５が設けられている。係合部２１５の形状は取付台１９０の係合片１９５を所定の短い寸法だけ上下動自在で平面方向には移動しない状態で挿入できるように、係合片１９５の係止部１９７を挿入する幅広部分とその先端側部分を挿入する幅細部分とを有している。支持部材２１０の下面の各係合部２１５の両側部分には、下方向に突出する小突起状の取付部２１７が設けられている。また略リング状の支持部材２１０の一部には、切り欠きからなる基板挿通部２１９が設けられている。
【００２９】
保持板２５０は硬質板であり、この実施形態では金属板（ステンレス板）を用いているが、他の材質の金属板又は合成樹脂板を用いても良い。保持板２５０はその外形寸法形状が第３フレキシブル回路基板２３０の外形寸法形状と略同一であり、第３フレキシブル回路基板２３０の各挿通部２３５に対向する位置には、これら各挿通部２３５と同一寸法形状の貫通孔又は切り欠きからなる挿通部２５１が設けられている。
【００３０】
次に電子部品１の組み立て方法を説明する。まず予め第２フレキシブル回路基板１７０の上面（電極接続パターン１７１を形成した側の面）に発光素子１３０を載置し、発光素子１３０両側の電極部１３３を電極接続パターン１７１に当接する。そして第２フレキシブル回路基板１７０の下面側に、矩形状のバネ板をコ字状に折り曲げてなる挟持部材１８０を設置し、これによって図９に示すように第２フレキシブル回路基板１７０の両側部分を折り曲げて発光素子１３０の両電極部１３３の周囲に巻き付け、これによって両電極部１３３に両電極接続パターン１７１を圧接し、同時に発光素子１３０を第２フレキシブル回路基板１７０に取り付けておく。一方回転体９０の摺動子設置部１０１に摺動子１１０を設置して、摺動子固定部１０３を摺動子１１０の取付固定部１１３に挿通し、摺動子１１０の下面側に突出する摺動子固定部１０３の先端を熱かしめすることで、回転体９０の摺動子設置部１０１に摺動子１１０を取り付けておく。
【００３１】
次につまみ本体部３１の下面側に導光部材３３を配置し、その際導光部材３３の導光部３３１をつまみ本体部３１の導光部材挿通部３１３に挿入し、同時につまみ本体部３１の導光部材取付部３１５を導光部材３３の取付部３３５に挿入し、導光部材３３の下面側に突出する導光部材取付部３１５の先端を熱かしめしてつまみ本体部３１と導光部材３３とを一体化する。そして回転つまみ１０の開口部１３にその下側から導光部材３３を取り付けたつまみ本体部３１の本体部３１１を挿入し、その上面を開口部１３から回転つまみ１０の上面側に露出させる。次につまみ本体部３１を収納した回転つまみ１０の下側にケース５０を設置し、その際ケース５０の開口部５３内に上側から回転つまみ１０の軸部１７が挿入され、ケース５０の上部に回転つまみ１０が回動自在に設置される。
【００３２】
次にケース５０の下面側にクリック板７０を設置し、その際つまみ本体部３１の押圧部取付部３１７をクリック板７０の開口部７５に挿通させ、同時に回転つまみ１０の回転体取付部２１をクリック板７０の挿通部７７に挿通し、且つ回転つまみ１０の板取付部１９をクリック板７０の取付固定部７９に挿通し、クリック板７０の下面側に突出する各板取付部１９の先端を熱かしめして固定する。次に前記摺動子１１０を取り付けた回転体９０を、クリック板７０の下面側に設置し、その際つまみ本体部３１の押圧部取付部３１７を回転体９０の開口部９１と摺動子１１０の開口部１１１に挿通させると共に、クリック板７０の挿通部７７からクリック板７０の下面側に突出している回転体取付部２１を回転体９０の挿入部９３に挿入する。なおここでは回転体取付部２１を挿入部９３に挿入するだけで、回転体取付部２１先端の熱かしめは行っていないが、回転体取付部２１の先端を回転体９０の下面側で熱かしめして固定しても良い。
【００３３】
次に前記回転体９０等を収納したケース５０の下側に第１，第２フレキシブル回路基板１５０，１７０を配置し、その際第１フレキシブル回路基板１５０の各挿通部１５３にケース５０の各取付台取付部５７を挿入する。このとき同時につまみ本体部３１の押圧部取付部３１７が挿通部１８１に挿入される。そして第２フレキシブル回路基板１７０の下側に配置したスイッチ押圧部３５の本体部取付部３５５につまみ本体部３１の押圧部取付部３１７の取付部３１７ｂを挿入する。そしてスイッチ押圧部３５の下面側に突出する取付部３１７ｂの先端を熱かしめし、これによってつまみ本体部３１とスイッチ押圧部３５とを一体化した押釦つまみ３０とする。このときスイッチ押圧部３５の上面はつまみ本体部３１の押圧部取付部３１７の基部３１７ａの先端面に当接するので、スイッチ本体部３１の導光部材３３を取り付けた下面とスイッチ押圧部３５（挟持部材収納部３５１）の上面の間には所定の隙間があり、前記発光素子１３０を取り付けた第２フレキシブル回路基板１７０はこの隙間内で所定寸法上下動自在となっている。
【００３４】
次に第１，第２フレキシブル回路基板１５０，１７０の下側に取付台１９０を配置し、その際前記第１フレキシブル回路基板１５０の各挿通部１５３を貫通したケース５０の各取付台取付部５７を取付台１９０の各取付部１９３に挿入し、取付台１９０の下面から突出する各取付台取付部５７の先端を熱かしめすることで取付台１９０をケース５０等に一体に取り付ける。このとき同時に取付台１９０の開口部１９１内にスイッチ押圧部３５が上下動自在に挿入され、その押圧部３５３が取付台１９０の下面に露出する。
【００３５】
次に連結部１７３を折り曲げることで第３フレキシブル回路基板２３０を取付台１９０の下面側に設置し、さらに第３フレキシブル回路基板２３０の下面側に保持板２５０を設置した上で、回転つまみ１０の上部から被せるように支持部材２１０を第３フレキシブル回路基板２３０上に設置する。このとき支持部材２１０の開口２１１内に前記ケース５０等が設置され、また支持部材２１０の各係合部２１５内に取付台１９０の各係合片１９５が所定の短い寸法上下動自在に挿入され、さらに支持部材２１０の各取付部２１７が第３フレキシブル回路基板２３０の各挿通部２３５と保持板２５０の各挿通部２５１に挿入される。またこのとき折り曲げた連結部１７３は支持部材２１０の基板挿通部２１９に位置する。そして保持板２５０の下面から突出する各取付部２１７の先端を熱かしめすれば、電子部品１が完成する。なお上記電子部品１の組立手順はその一例であり、他の各種異なる組立手順を用いて組み立てても良いことはいうまでもない。
【００３６】
これによりケース５０の上部に設置した回転つまみ１０と、ケース５０の下部に設置したクリック板７０及び回転体９０及び摺動子１１０が、ケース５０の上下でケース５０に対して一体に回転自在に設置される。またこのときクリック板７０のクリック弾接部８３がケース５０のクリック係合部５９に弾接係合した状態となり、また摺動子１１０の接点部１１７が第１フレキシブル回路基板１５０の摺接パターン１５１に当接した状態となっている。また押釦つまみ３０の押圧部３５３の下面は中央スイッチ２３１の反転板２３１ａに当接して上方向に押し上げられ、つば部３１９の上面が回転つまみ１０の下面に接近又は当接している。また取付台１９０は各押圧部１９９が各押圧スイッチ２３３の反転板２３３ａに当接して水平状態を保っている。また押釦つまみ３０は、回転体９０及び第１，第２フレキシブル回路基板１５０，１７０及び取付台１９０を貫通して上下動自在に設置されている。また押釦つまみ３０内に第２フレキシブル回路基板１７０及びこれに取り付けた発光素子１３０が設置されている。また第１フレキシブル回路基板１５０と第２フレキシブル回路基板１７０は、同一のフレキシブル回路基板の周囲部分と中央部分にそれぞれ、折り曲げられることなく設置されている。即ち第２フレキシブル回路基板１７０の基板面と第１フレキシブル回路基板１５０の基板面とは略同一面に位置している。また押釦つまみ３０を構成するつまみ本体部３１とスイッチ押圧部３５は、第２フレキシブル回路基板１７０の周囲に設けた挿通部１８１を介して第２フレキシブル回路基板１７０及び発光素子１３０を静止したまま上下動自在に連結されている。
【００３７】
そして回転つまみ１０を指等で回転すれば、クリック板７０と回転体９０と摺動子１１０とが回転つまみ１０と一体に回転し、摺動子１１０の接点部１１７が摺接パターン１５１上を摺動して摺接パターン１５１の電気的出力が変化する。同時に、クリック板７０のクリック弾接部８３がケース５０のクリック係合部５９に弾接係合してクリック感覚が生じる。
【００３８】
一方押釦つまみ３０の本体部３１１上面を押圧すれば、押釦つまみ３０が下降してその押圧部３５３が中央スイッチ２３１の反転板２３１ａを押圧してこれを反転し、中央スイッチ２３１がオンする。押釦つまみ３０への押圧を解除すれば反転板２３１ａの弾性復帰力によって中央スイッチ２３１はオフする。また回転つまみ１０の本体部１１上面の前記取付台１９０の４ヶ所の押圧部１９９の何れかに対応する部分を押圧すれば、ケース５０や回転体９０や押釦つまみ３０等、取付台１９０上に設置されている各構成部品が取付台１９０と一体に押圧された方向に傾いて揺動し、下降した側の押圧部１９９が対向する押圧スイッチ２３３の反転板２３３ａを押圧してこれを反転し、押圧スイッチ２３３がオンする。回転つまみ１０への押圧を解除すれば、反転している反転板２３３ａの弾性復帰力によって回転つまみ１０及び取付台１９０等の各構成部品が一体に元の位置に自動復帰し、押圧スイッチ２３３がオフする。
【００３９】
以上説明したように、電子部品１は、第１フレキシブル回路基板１５０上に回転体９０を設置し、この回転体９０の回転によって回転体９０と第１フレキシブル回路基板１５０の間に設置した摺動子１１０及び摺接パターン１５１からなる電気的機能部の電気的出力を変化する回転式電子部品部Ａ１と、回転体９０及び第１フレキシブル回路基板１５０を貫通して上下動自在に押釦つまみ３０を設置し、この押釦つまみ３０の上下動によって押釦つまみ３０の下方に設置した中央スイッチ２３１をオンオフする押圧式電子部品部Ａ２と、第１フレキシブル回路基板１５０を設置した取付台１９０を揺動自在に支持する支持部材２１０と、取付台１９０の揺動によって押圧される押圧スイッチ２３３とを具備してなる揺動式電子部品部Ａ３とを具備して構成されている。このようにこの電子部品１によれば、回転式電子部品と押圧式電子部品と揺動式電子部品の機能を一体化した多機能型の電子部品１を構成することができる。特にこの実施形態においては、第１フレキシブル回路基板１５０の下側に揺動式電子部品部Ａ３用の押圧スイッチ２３３を設置したので、電子部品１の外径の小型化・コンパクト化が図れる。
【００４０】
一方発光素子１３０を発光すれば、その光は導光部材３３を透して押釦スイッチ３０の上面から放射され、明るく照らし出す。そしてこの電子部品１においては、回転式電子部品部Ａ１の電気的出力を取り出す第１フレキシブル回路基板１５０の中央に、発光素子１３０を取り付けて押釦つまみ３０内に設置される第２フレキシブル回路基板１７０を、両回路基板１５０，１７０が略同一面に位置するように配置したので、従来の第１フレキシブル回路基板上に第２フレキシブル回路基板を重ね合わせるタイプの電子部品に比べ、回転式電子部品部Ａ１及び押圧式電子品部Ａ２の第１フレキシブル回路基板１５０の基板面からの高さ寸法を薄型化することができる。
【００４１】
また押釦つまみ３０が上下動しても、第２フレキシブル回路基板１７０及び発光素子１３０は静止状態のままなので、容易に第１フレキシブル回路基板１５０と第２フレキシブル回路基板１７０とを同一の回路基板の周囲部分と中央部分とにそれぞれ設けることができる。そして第１，第２フレキシブル回路基板１５０，１７０を同一の回路基板の周囲部分と中央部分にそれぞれ配置することができれば、従来のように第２フレキシブル回路基板を第１フレキシブル回路基板の外周から引き出して第１フレキシブル回路基板上に折り曲げて設置する必要がなくなる。このため電子部品１の構造を簡素化でき、組み立ても容易になる。また回転体９０（及び回転つまみ１０）が３６０°エンドレスで回転する構造であっても、従来のように第２フレキシブル回路基板を第１フレキシブル回路基板の外周から引き出して第１フレキシブル回路基板上に折り曲げて設置する構造にする必要がなくなり、引き出して折り曲げた部分が３６０°回転する回転体９０の何れかの部分に当接する恐れはなく、容易にエンドレスタイプの回転式電子部品部Ａ１とすることができる。このことは特に電子部品１を小型化した場合に前記折り曲げる部分が邪魔になるので有効である。
【００４２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態においては、発光素子１３０の第２フレキシブル回路基板１７０への固定を、挟持部材１８０によって行ったが、本発明はこの取付構造に限定されるものではなく、例えば図１０，図１１に示すように、挟持部材１８０の代りに取付用ケース２７０を取り付けても良い。即ち第２フレキシブル回路基板１７０上に発光素子１３０を載置し、その際電極接続パターン１７１に発光素子１３０の電極部１３３を当接し、さらにこれら第２フレキシブル回路基板１７０及び発光素子１３０の周囲を覆うように成形（射出成形）によって合成樹脂製の取付用ケース２７０を取り付ける構造である。これによって発光素子１３０の電極部１３３と第２フレキシブル回路基板１７０の電極接続パターン１７１とは当接・接続した状態のまま取付用ケース２７０内で一体化される。このとき発光素子１３０の光を放射する発光部１３１は取付用ケース２７０の上面から露出させる。なお取付用ケース２７０の材質としては、例えばＡＢＳ樹脂やＰＢＴ樹脂やＰＯＭ樹脂等を用いる。取付用ケース２７０は透明でも不透明でも何れの色彩でも良く、必要に応じて選択できる。また発光素子１３０の第２フレキシブル回路基板１７０への固定は、接着剤のボンディングによって行っても良い。また上記以外の各種取付方法によって行っても良い。
【００４３】
また上記実施形態では第１，第２フレキシブル回路基板１５０，１７０と第３フレキシブル回路基板２３０とは連結部１７３によって一体に連結されているが、連結部１７３を無くして第１，第２フレキシブル回路基板１５０，１７０と第３フレキシブル回路基板２３０とを別個の回路基板として構成しても良い。また第１，第２フレキシブル回路基板１５０，１７０と第３フレキシブル回路基板２３０の少なくとも一方を硬質の回路基板で構成しても良い。また上記実施形態では本発明を、回転式電子部品と押圧式電子部品と揺動式電子部品の機能を一体化した電子部品に適用した例を示したが、回転式電子部品と押圧式電子部品の機能を一体化した電子部品、即ち取付台１９０を揺動自在に支持しない構成の電子部品に本発明を適用してもよい。この場合、例えば支持部材２１０と押圧スイッチ２３３と取付台１９０の押圧部１９９と係合片１９５とを省略し、取付台１９０を図１に示す状態のまま第３フレキシブル回路基板２３０を載置した保持板２５０上に固定すれば良い。
【００４４】
また上記実施形態では回転体９０に取り付けた摺動子１１０と取付台１９０上に設置した第１フレキシブル回路基板１５０の摺接パターン１５１とによって電気的機能部を構成したが、電気的機能部は回転体９０の回転によってその電気的出力が変化する構成であれば他の各種構成であっても良い。また上記実施形態では中央スイッチ２３１や押圧スイッチ２３３を一枚の合成樹脂フイルム上に形成した接点パターン上に反転板を取り付けることで構成しているが、これらのスイッチは２枚の合成樹脂フイルムを重ね合わせて両合成樹脂フイルムにそれぞれ設けた一対の接点パターンを隙間を介して対向させ、一方の合成樹脂フイルムに設けた接点パターンの裏面側に反転板を設置することで構成されるいわゆるメンブレンスイッチで構成しても良い（この場合、反転板は必ずしも必要ない）。
【００４５】
また上記実施形態では電子部品に揺動式電子部品の機能を持たせるために取付台を支持部材によって揺動自在に支持したが、取付台を揺動自在に支持する構造として他の各種構造を用いても良く、要は取付台を揺動自在に支持することで揺動して下降した位置にある押圧スイッチをオンオフ操作する構造であればどのような構造であっても良い。なお本実施形態にかかる支持部材は取付台の外周にこれを囲むように設置するだけの構造なので、構造が簡単で、取り付けも容易で、また厚みの薄型化が図れて好適である。
【００４６】
上記実施形態では発光素子から照射される光を押釦つまみに取り付けた導光部材に設けた導光部を透してその表面から外部に照射するように構成したが、導光部材を省略してつまみ本体部自体を透明な材料で構成してつまみ本体部自体を導光部として構成しても良い。要は発光素子から照射される光を押釦つまみを通して外部に照射する構造であればよい。また上記実施形態では別部材であるつまみ本体部及びスイッチ押圧部によって押釦つまみを構成したが、つまみ本体部及びスイッチ押圧部を一体成形品によって構成しても良い。その場合でも本実施形態と同様に、内部に第２フレキシブル回路基板及び発光素子を静止状態で（少なくとも押釦つまみの上下動ストローク分）押釦つまみが上下動自在となるように収納する収納空間を設ける。
【図面の簡単な説明】
【００４７】
【図１】電子部品１の概略側断面図である。
【図２】電子部品１の斜視図である。
【図３】電子部品１（その上側の部品）を上側から見た分解斜視図である。
【図４】電子部品１（その中間の部品）を上側から見た分解斜視図である。
【図５】電子部品１（その下側の部品）を上側から見た分解斜視図である。
【図６】電子部品１（その上側の部品）を下側から見た分解斜視図である。
【図７】電子部品１（その中間の部品）を下側から見た分解斜視図である。
【図８】電子部品１（その下側の部品）を下側から見た分解斜視図である。
【図９】発光素子１３０を取り付けた第２フレキシブル回路基板１７０の部分の要部拡大斜視図である。
【図１０】発光素子１３０を第２フレキシブル回路基板１７０に取り付ける他の例を示す要部拡大斜視図である。
【図１１】図１０のＢ−Ｂ断面図である。
【符号の説明】
【００４８】
１  電子部品（照光機能付き複合電子部品）
１０  回転つまみ
３０  押釦つまみ
３１  つまみ本体部
３３  導光部材
３３１  導光部
３５  スイッチ押圧部
５０  ケース
７０  クリック板
９０  回転体
１１０  摺動子（電気的機能部）
１３０  発光素子
１４０  フレキシブル回路基板
１５０  第１フレキシブル回路基板（第１回路基板）
１５１  摺接パターン（電気的機能部）
１７０  第２フレキシブル回路基板（第２回路基板）
１８１  挿通部
１９０  取付台
２１０  支持部材
２３０  第３フレキシブル回路基板（第３回路基板）
２３１  中央スイッチ
２３３  押圧スイッチ
２５０  保持板（保持部材）
Ａ１  回転式電子部品部
Ａ２  押圧式電子部品部
Ａ３  揺動式電子部品部
【図１】
0004789900.tif 000002
【図２】
0004789900.tif 000003
【図３】
0004789900.tif 000004
【図４】
0004789900.tif 000005
【図５】
0004789900.tif 000006
【図６】
0004789900.tif 000007
【図７】
0004789900.tif 000008
【図８】
0004789900.tif 000009
【図９】
0004789900.tif 000010
【図１０】
0004789900.tif 000011
【図１１】
0004789900.tif 000012